(57)【要約】【課題】自転車ハンドル部への後付け子乗せシート用のポンチョ型レインカバーを提案する。【解決手段】前面開口部13を有する頭部被覆部12と、幼児の身体部と子乗せシートを被覆でき、底部開口部を有する本体部11とから成る。本体部11の両側には、ハンドルグリップ挿通部16を設け、その底部開口部の周縁部17には挿通部を設け、内部に紐状部材を配設して底部開口部を収束できる。本体部11の前面部に、頭部被覆部12の前面開口部13の下縁部から下方に向い、前記本体部11の少なくとも略中間部位まで切込部を15設けてこの切込部15を開閉自在に形成する。これにより、本レインカバーを自転車の前部子乗せシートに装着した後、前記切込部15を開放させて、内部に幼児をカバー10内部の子乗せシートに着席させることができる【選択図】図２
2019034607.tif 000002
【特許請求の範囲】
【請求項１】
自転車のハンドル及びハンドルポストに装着した子乗せシートに幼児を乗せた状態でその全体を被覆できるレインカバーにおいて、
このレインカバーは、幼児の顔面に対応する前面に前面開口部を有し、頭部を被覆できる頭部被覆部と、この頭部被覆部から下方の幼児の身体部と子乗せシートの全体を被覆でき、その底部が開口した底部開口部を有する袋状の本体部とから成り、
前記本体部の両側の適宜位置には、ハンドルグリップ及びブレーキレバー部分が挿通できるハンドルグリップ挿通部を設け、
前記本体部の底部開口部の周縁部には挿通部を形成し、その内部に紐状部材を配設して、この底部開口部を収束できるようにしたことを特徴とする自転車の前部子乗せシート用ポンチョ型レインカバー。
【請求項２】
前記本体部の前面部に、前記頭部被覆部の前面開口部の下縁部から下方に向い、前記本体部の少なくとも略中間部位まで切込部を設けて、この切込部を開閉自在に形成し、
これにより、本レインカバーを自転車の前部子乗せシートに装着した後、前記切込部を開放させて、内部に幼児をカバー内部の子乗せシートに着席させることができることを特徴とする請求項１に記載の自転車の前部子乗せシート用ポンチョ型レインカバー。
【請求項３】
前記本体部の前面部の両側の上下方向に一対の挿通部を形成し、この挿通部内にその下端部が固着された伸縮自在の紐状部材を挿通し、その自由端部を前記挿通部内から外に排出してストッパー部材を設け、このストッパー部材の位置を紐状部材の固着端部方向に移行させることにより、本体部の上下方向の長さが短縮されることを特等とする請求項１又は２に記載の自転車の前部子乗せシート用ポンチョ型レインカバー。
【請求項４】
前記頭部被覆部の前面開口部の上縁部に鍔部を形成し、また前面開口部の一方の側縁部には幼児の顔面の下方部分を被覆できる覆い部の基端部を連結し、その自由端部は前面開口部の他方縁部に係着自在に係着できることを特徴とする請求項１乃至３の何れか１項に記載の自転車の前部子乗せシート用ポンチョ型レインカバー。
【請求項５】
前記頭部被覆部を幼児がヘルメットを被ったままの状態で被覆することができる大きさとし、この頭部被覆部の前面開口部の周縁部に挿通部を設け、当該挿通部内に紐状部材を挿通して前面開口部の周縁部を収束させることができ、前記挿通部を頭部被覆部とは別生地によって形成して前記頭部被覆部の前面開口部の周縁部の内側に設けたことを特徴とする請求項１乃至４の何れか１項に記載の自転車の前部子乗せシート用ポンチョ型レインカバー。
【請求項６】
前記頭部被覆部の後面に当該頭部被覆部の前後方向の周囲長さを縮小することのできる頭囲縮小手段を設けたことを特徴とする請求項１乃至５の何れか１項に記載の自転車の前部子乗せシート用ポンチョ型レインカバー。
【請求項７】
前記本体部の底部開口部の後方側が上方に切り欠かれた形状を有していることを特徴とする請求項１乃至６の何れか１項に記載の自転車の前部子乗せシート用ポンチョ型レインカバー。
【請求項８】
前記本体部の後面の上方部分に収納部を設け、この収納部内には袋状の袋状カバー部を収納し、本レインカバーの不使用時、このレインカバーを前部子乗せシートに装着したままとし、本体部の前面に設けた切込部を閉鎖し、頭部被覆部をその切込部の内部に挿入した状態で前記袋状カバー部を子乗せシートの背凭れ部上部又はヘッドレスト部上部に被せて雨水や塵埃がレインカバー内に侵入しないようにしたことを特徴とする請求項１乃至７の何れか１項に記載の自転車の前部子乗せシート用ポンチョ型レインカバー。
【請求項９】
前記袋状カバー部が前記収納部の内部と紐部材によって連結され、この袋状カバー部を子乗せシートの背凭れ部上部又はヘッドレスト部上部に被せた状態で、前記本体部の前面部の両側に設けた一対の挿通部内に配設された一対の伸縮自在の紐状部材の自由端部が前記袋状カバー部と連結して、前記袋状カバー部を引っ張った状態で保持することができることを特徴とする請求項８に記載の自転車の前部子乗せシート用ポンチョ型レインカバー。
【発明の詳細な説明】
【技術分野】
【０００１】
本発明は、自転車のハンドル及びハンドルポストに後付けで装着された子乗せシートに使用するレインカバーであって、この子乗せシートに幼児を着席させた状態で、子乗せシート及び幼児を共に被覆できるポンチョタイプのレインカバーに関するものである。
【背景技術】
【０００２】
従来の自転車乗車用雨除けポンチョ及び自転車用前部チャイルドシートカバーとしては、本願出願人が先に提案した下記特許文献に記載のものを挙げることができる。
下記特許文献１に記載の自転車用雨除けポンチョは、自転車のハンドル部及び前籠を被覆でき、走行中風圧でポンチョの前面部が捲くれ上がることを防止することを課題とするものである。
【０００３】
当該雨除けポンチョは、略中央に開口部を有し、この開口部に頭部を被覆する頭部被覆部が設けられた形態を有する。前面覆い部が自転車のハンドル部と前籠を被覆でき、後面覆い部は自転車のサドルの下方位置で、後方車輪に届かない。前面覆い部が前籠を被覆する裏面に係止具を設ける。この係止具に外方からの風圧以上の力が付加された際にはこの係止具が前籠から離脱する。係止具は２つの脚部を有する側面視略コ字形状の合成樹脂製の弾性を有するものからなり、相互にその先端部側の一部が近接し、且つ近接部の先端側の両先端部分が相互に拡開する形態を有する。係止具が設けられた前面覆い部の表面側に引張り部材を設けたものである。
【０００４】
下記特許文献２に記載の自転車用前部チャイルドシートカバーは、幼児を着席し易く、幼児の頭部の収納空間を広く取れるカバーを提供することを課題とする。  その構成は、カバー本体部と開閉カバー部材とから成る。この本体部は、チャイルドシートの前面、両側面及び背面を被覆できる形状を有し、上面及び底面に開口部を有する。開閉カバー部材は、前記カバー本体部の上面開口部の前方側に接続し、この開閉カバー部材を、その前面部、天面部、両側面部及び背面部から形成して内部空間を保持できる形状とし、少なくとも背面部に芯材を配設することにより当該背面部が自立できる構成とし、この開閉カバー部材の下端周縁部とカバー本体部の上端周縁部とが相互に係合できるスライドファスナー等の係合手段により開閉自在に形成されたものである。  
【０００５】
上記雨除けポンチョは、自転車の運転者が着用するものであり、上記自転車用前部チャイルドシートカバーは、自転車のハンドル部中央の略Ｕ字形状に凹んだ状態に形成された部分に予め取り付けられた子乗せシートに被覆するタイプのものである。
【先行技術文献】
【特許文献】
【０００６】
【特許文献１】実用新案登録第３１４１５０９号公報
【特許文献２】特開２０１６−１４４９５３号公報
【発明の概要】
【発明が解決しようとする課題】
【０００７】
上記特許文献１に記載の従来の雨除けポンチョは、自転車の運転者が着用するために開発されたものであるが、雨除けポンチョとしては、通常は幼児の身体に装着して使用する。通常はこのようなポンチョを着て、自転車に取り付けられた子乗せシートに腰掛けるものである。
そして、この種の最も単純な構成の雨除けポンチョとしては、幼児の身体の周囲を取り囲むように被覆する本体部の略中央に開口部を有し、この開口部に前方が開放された頭部を被覆する頭部被覆部が設けられた形態を有するものである。
【０００８】
従って、通常子乗せシートは何らカバーによって被覆されておらず、雨天時には、それ自体が濡れてしまうものである。
他方、上記特許文献２に記載の前部子乗せシート用レインカバーにおいては、その全体が本体部と開閉カバー部材とから成り、ボックス形状のもので、子乗せシートの全体を被覆でき、後から前記開閉カバー部材を開放してその本体部内に幼児を入れて子乗せシートに着席させるタイプのものである。
【０００９】
後者のタイプのものは、原則的には子乗せシートに装着したままで使用するものであり、その大きさは可也大きなものとなる。
このような大型でその全体を被覆するボックスタイプのレインカバーの場合、後付け式の前部子乗せシートに装着すると、自転車の運転者が前方を見通すことが非常に困難な状態となる。
即ち、自転車のハンドル及びハンドルポストに装着する後付け式の前部子乗せシートにこのような形式の大型のボックス形状のレインカバーを装着すると前方が見え難くなり、危険となる。
従って、この種の全体を被覆するタイプの前部チャイルドシートカバーとしては、自転車のハンドルの中央部が略Ｕ字形状に窪んだ形状を有し、その窪んだ部分に前部チャイルドシートを予め固定したタイプの自転車に利用されるのみであった。
【００１０】
本発明においては、上記のような予め自転車のＵ字形状の部分に固定された子乗せシートに装着するのではなく、後付けで自転車のハンドル及びハンドルポストに装着できる子乗せシートにも装着できるレインカバーを提供することをその課題とし、しかも、自転車の運転者の前方への視界の邪魔にならないタイプのもので、それ故ポンチョ形式のレインカバーを提供することをその課題としている。
【００１１】
ポンチョ形式としたのは、そのレインカバーの上方部分の形状が被覆される幼児の体形に沿う形状を有することとなるために、その大きさが最小限となり、自転車運転者の視界を出来る限り遮らないこととなるからである。
他方、ポンチョ形式でありながら、子乗せシート自体をも被覆できるようにして、子乗せシートに装着して子乗せシートをも被覆することができるのであれば、不使用時雨天の際にも子乗せシート自体が雨に濡れてしまうという問題を解消することができるからである。
【００１２】
これまでは、雨天時、幼児に幼児用ポンチョを着せて子乗せシートに着席させ、このポンチョの本体部の裾部を子乗せシートの外側に被せるようにすれば、子乗せシート自体も雨で濡れることはないのであるが、いざ自転車を降りると、雨は子乗せシートに直接降り掛かり、子乗せシートは濡れてしまう。
再度、ポンチョを着用した幼児が上記子乗せシートに着席しようとすると、当該子乗せシートは雨で濡れているために、この雨で濡れた子乗せシートを雑巾等で拭き取る必要が生じるのである。
本発明では、このような手間を省略することができるようにするために、後付けタイプの前部子乗せシートの全体をも被覆出来て装着したままとすることにより、雨天時の不使用時であっても子乗せシートが雨に濡れないレインカバーを提案することがその課題である。
【００１３】
更に、子乗せシートに装着したままとして、より完全に子乗せシートが雨に濡れないようにするための構成をも付加することも本発明の課題となる。
また、ポンチョ形式であるために、使用者の身体の大きさや子乗せシートの大きさにも対応できるようにすること、幼児がヘルメットを着用した際にも良好に対応できるようにすることも本発明の課題となる。
【課題を解決するための手段】
【００１４】
上記課題を解決するために、本発明の第１のものは、自転車のハンドル及びハンドルポストに装着した子乗せシートに幼児を乗せた状態でその全体を被覆できるレインカバーにおいて、このレインカバーは、幼児の顔面に対応する前面に前面開口部を有し、頭部を被覆できる頭部被覆部と、この頭部被覆部から下方の幼児の身体部と子乗せシートの全体を被覆でき、その底部が開口した底部開口部を有する袋状の本体部とから成り、前記本体部の両側の適宜位置には、ハンドルグリップ及びブレーキレバー部分が挿通できるハンドルグリップ挿通部を設け、前記本体部の底部開口部の周縁部には挿通部を形成し、その内部に紐状部材を配設して、この底部開口部を収束できるようにしたことを特徴とする自転車の前部子乗せシート用ポンチョ型レインカバーである。
【００１５】
本発明の第２のものは、上記第１の発明において、前記本体部の前面部に、前記頭部被覆部の前面開口部の下縁部から下方に向い、前記本体部の少なくとも略中間部位まで切込部を設けて、この切込部を開閉自在に形成し、これにより、本レインカバーを自転車の前部子乗せシートに装着した後、前記切込部を開放させて、内部に幼児をカバー内部の子乗せシートに着席させることができることを特徴とする自転車の前部子乗せシート用ポンチョ型レインカバーである。
【００１６】
本発明の第３のものは、上記第１又は第２の発明において、前記本体部の前面部の両側の上下方向に一対の挿通部を形成し、この挿通部内にその下端部が固着された伸縮自在の紐状部材を挿通し、その自由端部を前記挿通部内から外に排出してストッパー部材を設け、このストッパー部材の位置を紐状部材の固着端部方向に移行させることにより、本体部の上下方向の長さが短縮されることを特等とする自転車の前部子乗せシート用ポンチョ型レインカバーである。
【００１７】
本発明の第４のものは、上記第１乃至第３の発明において、前記頭部被覆部の前面開口部の上縁部に鍔部を形成し、また前面開口部の一方の側縁部には幼児の顔面の下方部分を被覆できる覆い部の基端部を連結し、その自由端部は前面開口部の他方縁部に係着自在に係着できることを特徴とする自転車の前部子乗せシート用ポンチョ型レインカバーである。
【００１８】
本発明の第５のものは、上記第１乃至第４の発明において、前記頭部被覆部を幼児がヘルメットを被ったままの状態で被覆することができる大きさとし、この頭部被覆部の前面開口部の周縁部に挿通部を設け、当該挿通部内に紐状部材を挿通して前面開口部の周縁部を収束させることができ、前記挿通部を頭部被覆部とは別生地によって形成して前記頭部被覆部の前面開口部の周縁部の内側に設けたことを特徴とする自転車の前部子乗せシート用ポンチョ型レインカバーである。
【００１９】
本発明の第６のものは、上記それぞれの発明において、前記頭部被覆部の後面に当該頭部被覆部の前後方向の周囲長さを縮小することのできる頭囲縮小手段を設けたことを特徴とする自転車の前部子乗せシート用ポンチョ型レインカバーである。
【００２０】
本発明の第７のものは、上記それぞれの発明において、前記本体部の底部開口部の後方側が上方に切り欠かれた形状を有していることを特徴とする自転車の前部子乗せシート用ポンチョ型レインカバーである。
【００２１】
本発明の第８のものは、上記それぞれの発明において、前記本体部の後面の上方部分に収納部を設け、この収納部内には袋状の袋状カバー部を収納し、本レインカバーの不使用時、このレインカバーを前部子乗せシートに装着したままとし、本体部の前面に設けた切込部を閉鎖し、頭部被覆部をその切込部の内部に挿入した状態で前記袋状カバー部を子乗せシートの背凭れ部上部又はヘッドレスト部上部に被せて雨水や塵埃がレインカバー内に侵入しないようにしたことを特徴とする自転車の前部子乗せシート用ポンチョ型レインカバーである。
【００２２】
本発明の第９のものは、上記第８の発明において、前記袋状カバー部が前記収納部の内部と紐部材によって連結され、この袋状カバー部を子乗せシートの背凭れ部上部又はヘッドレスト部上部に被せた状態で、前記本体部の前面部の両側に設けた一対の挿通部内に配設された一対の伸縮自在の紐状部材の自由端部が前記袋状カバー部と連結して、前記袋状カバー部を引っ張った状態で保持することができることを特徴とする自転車の前部子乗せシート用ポンチョ型レインカバーである。
【発明の効果】
【００２３】
本発明の第１のものにおいては、自転車のハンドル及びハンドルポスト部分に後から取り付けた子乗せシートの全体を被覆することができるように装着でき、子乗せシート及び幼児を共に雨降りから防御できる。
具体的には、本発明に係るレインカバーの底部開口部を幼児の頭部から被せて幼児に着せた状態で、そのまま幼児を抱えて、自転車の前部子乗せシートに上方から被せるようにして、即ち、底部開口部を子乗せシートの上方から被せて装着しつつ、幼児を子乗せシートに着席させ、その後、底部開口部の周縁部に設けた紐状部材を収束させて子乗せシートの足乗せ部の下側から座部裏面に掛けて固縛して装着できる。
その際に、本体部の両側に設けられたハンドルグリップ挿通部からハンドル部分を外部に取り出して自転車に乗ることができることとなる。
このようにして、本発明に係るレインカバーにおいては、前部子乗せシートに幼児を着席させた状態で共にその全体を被覆出来ることとなる。
【００２４】
本発明の第２のものにおいては、その本体部の前面部に、頭部被覆部の前面開口部の下縁部から下方に向って切込部が本体部の少なくとも略中間部位まで設けられているために、この切込部を全開して幼児をその内部に入れ、子乗せシートに容易に着席させることができる。
それ故、この第２の発明では、自転車のハンドル及びハンドルポスト部分に後から取り付けた子乗せシートの全体を被覆することができるように装着でき、子乗せシート及び幼児を共に雨降りから防御できる。
その本体部の底部開口部の周縁部の挿通部に挿通する紐状部材として伸縮自在のものを配設した場合には、その底部開口部の周縁部が拡縮自在となり、本体部の底部開口部の周縁部を子乗せシートの足乗せ部の下端部に引っ掛けて容易に装着することもできる。
尚、この発明に係るレインカバーは、ポンチョタイプではあるが、従来のボックスタイプの子乗せシートカバーと同様に、常に前部子乗せシートに装着したままの状態で使用することができものである。
【００２５】
本発明の第３のものにおいては、前記本体部の前面部の両側の上下方向に一対の挿通部を形成し、この挿通部内にその下端部が固着された伸縮自在の紐状部材を挿通し、その自由端部を前記挿通部内から外に排出してストッパー部材を設け、このストッパー部材の位置を紐状部材の固着端部方向に移行させることにより、本体部の上下方向の長さが短縮されるため、このレインカバーを使用する幼児の身長に適合するようにその本体部の上下の長さを調整することができる。
【００２６】
本発明の第４のものにおいては、前記頭部被覆部の前面開口部の上縁部に鍔部を形成し、また前面開口部の一方の側縁部には幼児の顔面の下方部分を被覆できる覆い部の基端部を連結し、その自由端部は前面開口部の他方縁部に係着自在に係着できることを付加したものであり、頭部被覆部の前面開口部から内部に雨が吹き込まないようにしたものである。
【００２７】
本発明の第５のものにおいては、前記頭部被覆部を幼児がヘルメットを被ったままの状態で被覆することができる大きさとし、この頭部被覆部の前面開口部の周縁部に挿通部を設け、当該挿通部内に紐状部材を挿通して前面開口部の周縁部を収束させることができ、前記挿通部を頭部被覆部とは別生地によって形成して前記頭部被覆部の前面開口部の周縁部の内側に設けたことを特徴とするものであり、本発明に係る頭部被覆部は、幼児がヘルメットを被ったまま使用できるようにし、且つまた、前面開口部の周縁部の紐状部材を収束することによって、頭部被覆部がヘルメットを被った幼児の頭部にしっかりと装着できるようにした。
【００２８】
本発明の第６のものにおいては、前記頭部被覆部の後面に当該頭部被覆部の前後方向の周囲長さを縮小することのできる頭囲縮小手段を設けたことを特徴とし、本発明に係るレインカバーを使用する幼児の頭部のサイズ或いはヘルメットのサイズにアジャストできるようにしたものである。
【００２９】
本発明の第７のものにおいては、前記本体部の底部開口部の後方側が上方に切り欠かれた形状を有していることを特徴とするものであり、この切欠部は丁度子乗せシートの足乗せ部の背面及び背凭れ部の背面に対応する部分であり、この部分は雨が濡れても問題のない部分であるために、本体部のその部分を切り欠いたものであり、使用素材の省資源化及び製造コストの低減化を図る。
【００３０】
本発明の第８のものにおいては、前記本体部の後面の上方部分に収納部を設け、この収納部内には袋状の袋状カバー部を収納し、本レインカバーの不使用時、このレインカバーを前部子乗せシートに装着したままとし、本体部の前面に設けた切込部を閉鎖し、頭部被覆部をその切込部の内部に挿入した状態で前記袋状カバー部を子乗せシートの背凭れ部又はヘッドレスト部に被覆して雨水等がレインカバー内に侵入しないようにしたものである。
【００３１】
本発明の第９のものにおいては、上記第７の発明において、前記袋状カバー部が前記収納部の内部と紐状部材によって連結されていることを特徴とし、この紐状部材によって上記袋状カバーを紛失することが無くなるのである。
また、この袋状カバー部は、子乗せシートの背凭れ部上部又はヘッドレスト部上部に被せた状態で、前記本体部の前面部の両側に設けた一対の挿通部内に配設された一対の伸縮自在の紐状部材の自由端部が前記袋状カバー部と連結して、前記袋状カバー部を引っ張った状態で保持することができ、被せた袋状カバー部にテンションを掛けた状態で子乗せシートの背凭れ部上部やヘッドレスト部上部に被せることができることとなるのである。
【図面の簡単な説明】
【００３２】
【図１】本発明に係る自転車の前部子乗せシート用ポンチョ型レインカバーが装着される自転車の全体を図示した説明図である。
【図２】本発明の一実施形態に係るレインカバーを自転車の前部子乗せシートに装着し、幼児を着席させ、雨天時の使用時の状態を図示した説明図である。
【図３】上記実施形態に係るレインカバーの正面説明図である。
【図４】上記実施形態に係るレインカバーの背面説明図である。
【図５】上記実施形態に係るレインカバー内から幼児を外に出して、その頭部被覆部及び本体部の上方部分を本体部のスライドファスナーの上部開放部内に収納した状態を図示した説明図である。
【図６】上記実施形態に係るレインカバーにおいて上記図４で示した本体部背面の収納部内から内部の袋状カバー部を外部に取り出した状態を図示する説明図である。
【図７】上記実施形態に係るレインカバーの不使時の状態を示す説明図である。
【発明を実施するための形態】
【００３３】
以下、添付の図面と共に本発明の実施形態について説明する。
図１は、本発明に係る自転車の前部子乗せシート用ポンチョ型レインカバー（以下単に「レインカバー」という。）が装着される自転車の全体を図示した説明図である。
【００３４】
本発明に係るレインカバーが装着されるのは、自転車６０のハンドル６１及びハンドルポスト６２に後から取り付けるタイプの子乗せシート５０である。
この子乗せシート５０は、座面５１の前部に一対の足乗せ部５２、５２が連続して設けられ、これら２つの足乗せ部５２、５２の中間部でハンドル６１及びハンドルポスト６２に固定される。
【００３５】
固定部の上方には把持部５３が設けられ、着席した幼児がこの把持部５３を把持して自己の姿勢を保持することができる。
座面５１の後方からは上方に背凭れ部５４が幼児の背部と両脇を取り囲むように延長し、その上部にはヘッドレスト５５が設けられている。
【００３６】
このヘッドレスト５５は、上下に移動可能で、幼児の座高に合わせることができるが、このようなヘッドレスト５５が設けられていないタイプの子乗せシートも存在する。
図２以降で説明する本発明に係るレインカバーは、上記子乗せシート及びこれに着席した幼児の両方を共にその内部に収容することができるものである。
【００３７】
図２は、本発明の一実施形態に係るレインカバーを自転車の前部子乗せシートに装着し、幼児を着席させ、雨天時の使用時の状態を図示した説明図である。
図３は、上記実施形態に係るレインカバーの正面説明図である。
本発明に係るレインカバー１０は、幼児の身体を被覆する本体部１１と、頭部を被覆する頭部被覆部１２とから成る。
【００３８】
頭部被覆部１２は、幼児がヘルメットを着用した際にもカバーできる大きさとし、幼児の顔面に対応する前面部は開放されて前面開口部１３を有し、この前面開口部１３の上縁部には鍔部１４が設けられ、雨の侵入を防止できる。
【００３９】
前面開口部１３の下端縁から下方に向って切込部１５が設けられ、この切込部１５は、本体部１１の下端縁の近傍まで設けられ、この切込部１５にはスライドファスナー１５ｆが設けられ、開閉自在となっている。
この切込部１５に設けられる開閉手段としては、上記スライドファスナー１５ｆ以外に、面ファスナー、掛止ボタン、雌雄留めホック等々、相互に係止又は係着できるものであれば何でもよいが、雨の侵入等を考慮すればスライドファスナーとこれを被覆できる被覆片から形成するのが好ましい。
レインカバー１０は、前部子乗せシートに装着された後、上記スライドファスナー１５ｆを全開して内部の子乗せシートに幼児を着席させることができる。
【００４０】
この切込部１５は、上述の通り、本体部１１の下端縁の近傍まで設けられていることが極めて望ましいのであるが、内部に幼児を入れることができればよいので、少なくとも本体部１１の上下中間部位の位置にまで設けられていればよい。
【００４１】
本体部１１の両側にはハンドルグリップ挿通部１６が形成されているが、各種の自転車に適合できるようにこのハンドルグリップ挿通部１６は斜め方向の適宜長さの切れ目から形成されている。
このレインカバー１０を自転車の子乗せシートに装着する際には、本体部１１の前面のスライドファスナー１５ｆを全開して、子乗せシートの上方から被せて行き、本体部１１の両側に設けられたハンドルグリップ挿通部１６に自転車のハンドルグリップ、ブレーキレバー、及びグリップの根元部に設けられた各種機器を挿通させて装着する。
【００４２】
本体部１１の底部開口部の周縁部１７には挿通部を設け、この挿通部内に伸縮自在の紐状部材、例えばゴム紐等を挿通して、本体部１１の後面で収束させることができる。
勿論、この紐状部材は、伸縮しないものであっても実施可能である。
更に、本体部１１の前面の両側には一対の挿通部１８、１８が設けられており、この挿通部１８内には伸縮自在の紐状部材１８ｒが配設されている。
【００４３】
この紐状部材１８ｒは、その基端部が挿通部１８内の下端部に固着されており、その自由端部は、前記挿通部１８から外部に排出して係着部１８ｋがそれぞれに設けられている。
この係着部１８ｋの役割は後に説明する。
更に、この紐状部材１８ｒが挿通部１８内から外に出た部位にストッパー部材１８ｓが設けられている。
【００４４】
このストッパー部材１８ｓは、上記紐状部材１８ｒ上をその長手方向に摺動可能に移動することができ、その紐状部材１８ｒの適宜位置で停止させることができる。
より詳細には、このストッパー部材というのは、一般に市販されている所謂「紐ストッパー」と言われているものであり、押しボタンがコイルスプリングによって本体部の外側に常に付勢されており、この押しボタンを本体部内部に押し込むと、押しボタンの貫通孔と本体部の貫通孔とが合致して紐状部材が移動又は摺動可能となるものである。
これにより、このストッパー部材１８ｓを紐状部材１８ｒの基端側に適宜移動させると、挿通部１８がその移動させた分だけ短くなる。それ故、本体部１１の前面部の上下長さが適宜短くなるのである。
この構成は、レインカバー１０を使用する幼児の身長等に適合できるようにしたものである。
【００４５】
更に、頭部被覆部１２の前面開口部１３の周縁部にも挿通部を形成し、その内部に紐状部材１３ｒを配設し、この紐状部材１３ｒを引き絞ることによって、頭部被覆部１２を幼児の頭部にしっかりと固定することができる。
この場合、この挿通部を頭部被覆部１２の前面開口部１３の周縁部に別生地で形成し、しかも前面開口部１３の周縁部の内側に設けることにより、紐状部材１３ｒを引き絞った際に、例えば幼児のヘルメットの周縁部の内側に巻き込むように引き絞ることができる。
【００４６】
頭部被覆部１２の前面開口部１３の一方の側縁部の内側に覆い片１３ｍの一端を固着し、その他端を頭部被覆部１２の前面開口部１３の他方の側縁部の内側に係脱自在に係着できるようにすることもできる。
また、鍔部１４の下面に折り畳み式に透明素材から成る顔面覆い部を設け、雨天時、この顔面覆い部を引き起こして幼児の顔面を覆うように構成することもできる。
【００４７】
上記した通り、本体部１１の底部開口部の周縁部には伸縮自在の紐状部材が挿通されているため、前記底部開口部は拡縮自在で、この周縁部の前方部を子乗せシートの足乗せ部の下端に引っ掛けて取り付けることができる。
【００４８】
ここで、上記実施形態において、頭部被覆部１２の前面開口部１３の下縁部から下方に向って切込部１５を形成していたが、この切込部を設けずに実施することも可能である。
本発明におけるレインカバーはポンチョ型なので、この切込部を形成せずに、その底部開口部を幼児の頭の上から被せるようにして着せることもできる。
この場合には、先に幼児に本発明に係るレインカバーを着用させて、幼児を抱き上げて子乗せシートに着席させつつ、レインカバーを子乗せシートの全体に被覆させ、レインカバーの両側のハンドルグリップ挿通部に自転車のハンドルグリップ部分を挿通させて装着することもできるのである。
【００４９】
図４は、上記実施形態に係るレインカバーの背面説明図である。
上記図２及び図３により本発明に係るレインカバー１０の前面側の構成を明らかにしたが、この図４により、本発明に係るレインカバー１０の後面側（背面側）の構成が明瞭となる。
この本体部１１の底部開口部２０の周縁部には挿通部２０ｓが設けられ、その内部に伸縮自在の紐状部材２１が配設されている。この紐状部材２１は伸縮自在でなくともよい。
【００５０】
更にこの底部開口部２０の背面側には大きな切欠部２５を設けている。
この部分は、前部子乗せシートの足乗せ部の背面部、座部裏面及び背凭れ部の背面部に対応する位置のためにカバーを切り欠いたものである。
従って、本体部１１の底部開口部２０から連続して上記切欠部２５が形成されるため、紐状部材２１は、この底部開口部２０と切欠部２５の周縁部に連続して配設されることとなる。
【００５１】
この紐状部材２１は、伸縮自在のゴム紐を使用しており、その端部にはストッパー部材２６を設けており、このストッパー部材２６を紐状部材２１の基端部側に移行させることにより底部開口部２０の開口サイズが縮小する構成である。
先にも述べた通り、この紐状部材２１は、伸縮しないものであっても実施可能である。
【００５２】
本体部１１の背面の上方部分には、収納部２７が設けられており、この収納部２７は、蓋２７ｆ付きのポケット状のものである。
この収納部２７の中には、後の図６にて説明するが袋状カバー部が収納されている。
この袋状カバー部の役目は後程説明する。
【００５３】
更に、頭部被覆部１２の後面（背面）部には当該頭部被覆部の前後方向の周囲長さを縮小することのできる頭囲縮小手段が設けられており、この頭囲縮小手段は、その一端が頭部被覆部１２の後面に固着された帯状部材３０と、この帯状部材３０の自由端の裏面に設けられた面ファスナーが相互に係着する帯状面ファスナー３１とから成る。
【００５４】
帯状部材３０が頭部被覆部１２に固着された基端部は、上方に位置してその自由端は下方位置に位置し、帯状部材３０の自由端を適宜帯状面ファスナー３１の下方位置に係着させることにより頭部被覆部の前後方向の周囲長さを短くすることができる。
【００５５】
頭部被覆部１２は、レインカバー１０を使用する幼児がヘルメットを被った状態で使用できるように適宜最大のサイズのものとして、使用する際に使用する幼児の頭囲に応じてこの頭囲縮小手段を使用することとなるのである。
【００５６】
図５は、上記実施形態に係るレインカバー内から幼児を外に出して、その頭部被覆部及び本体部の上方部分を本体部のスライドファスナーの上部開放部内に収納した状態を図示した説明図である。
この図に示した状態は、上記図２において、スライドファスナー１５ｆを全開して、内部の幼児を外部に出して、頭部被覆部及び本体部の上方部分を開放されたスライドファスナー１５ｆからその内部に収納させ、その後スライドファスナー１５ｆを適宜上方に移行させた状態である。
【００５７】
このように本発明に係るレインカバー１０は、不使用時には前部子乗せシートに被覆させたままの状態で使用することができるものである。
そして、これによりこの子乗せシートを使用していない間であっても、雨天時、子乗せシートが濡れてしまうことを防止することができるのである。
【００５８】
図６は、上記実施形態に係るレインカバーにおいて上記図４で示した本体部背面の収納部内から内部の袋状カバー部を外部に取り出した状態を図示する説明図である。
本体部１１の背面部上部には収納部２７が設けられており、この内部には袋状カバー部４０が折り畳まれて収納されている。
【００５９】
この図では、袋状カバー部４０が収納部２７から外部に取り出された状態であるが、この袋状カバー部４０は、紐部材からなる連結紐４１で収納部２７の内部と連結している。
袋状カバー部４０を外部に出しても紛失しないためである。
【００６０】
この袋状カバー部４０の開口周縁部の全体には挿通部４２が設けられ、その内部にはゴム紐が配設され、この開口周縁部は拡縮自在である。
この袋状カバー部４０は、図中矢印で示した通り、前部子乗せシートの背凭れ部の上方部又はヘッドレストの上方部に被せることができるものであるが、詳細は次図で説明する。
【００６１】
図７は、上記実施形態に係るレインカバーの不使時の状態を示す説明図である。
前図６において、本体部１１の背面に設けられた収納部内の袋状カバー部について説明したが、この袋状カバー部４０を子乗せシートの上端部に被せた状態を図７が図示している。
【００６２】
上記図５においては、頭部被覆部及び本体部の上端部をスライドファスナー１５ｆの上端開口に収納した状態を図示していたが、この状態であると、雨水等はスライドファスナー１５ｆの上端開口からレインカバー１０の内部に侵入してしまう。
【００６３】
この雨水や塵埃等の侵入を防止するために、上記袋状カバー部４０が設けられているのである。
即ち、図５で説明した通り、幼児を外部に出した後、頭部被覆部と本体部１１の上方部分をレインカバー１０の内部に収納し、本体部１１の前面のスライドファスナー１５ｆを閉鎖して行き（図５の状態）、その状態で、本体部１１の背面の収納部から袋状カバー部４０を取り出し、この袋状カバー部４０の開口周縁部を広げて、子乗せシートの背凭れ部上部又はヘッドレスト上部に被せるのである（図７の状態）。
【００６４】
これにより、スライドファスナー１５ｆの上方部分が袋状カバー部４０に被覆され、レインカバー１０の内部には雨水或いは塵埃等が内部に侵入しないこととなるのである。
ここで、図２及び図３において説明した本体部の前面部に設けた一対の挿通部内に配設した伸縮自在の紐状部材の上方の自由端部に設けた係着部１８ｋについて再度説明する。
【００６５】
紐状部材１８ｒとしては、ゴム紐等の伸縮自在のものから形成したので、この紐状部材１８ｒの端部に設けた係着部１８ｋを上記の袋状カバー部４０に設けた係着受部と相互に係着できる構成とする。
この係着受部は、図６において図示されており、この図６の図面符号４０ｋがそれである。
【００６６】
この係着受部４０ｋは留めホックから成り、本体部１１ｎ前面部に設けた一対の挿通部１８に配設された紐状部材１８ｒの端部の係着部１８ｋも留めホックから成り、これら雌雄の係着部と係着受部の両者を容易に係着させて相互に連結させることができるのである。
【００６７】
これら係着手段は、留めホックでなく、面ファスナーでもよいし、相互に係着できるボタンと孔部、Ｕ型フック同士であってもよい。
これにより、袋状カバー部は、伸縮自在の紐状部材１８ｒによってテンションをもって、子乗せシートの背凭れ部又はヘッドレスト上部に装着でき、容易には外れないように被覆されるのである。
【００６８】
以上、本発明の一実施形態について説明したが、本発明においては以下の通りその形態を種々設計変更することができる。
先ず、レインカバー自体の素材は、上記実施形態では、ナイロンやポリエステル生地を使用することができるが、柔軟性を兼ね備えた素材であれば、その他の素材を利用することができる。
【００６９】
頭部被覆部及び本体部の大きさ、形状等は、各種の自転車のタイプに応じて適宜設計変更することができる。
本体部の前面に設けた切込部の長さは、幼児をその内部に出し入れすることができる大きさであればよいのであるが、出来るだけ大きい方が便利なので、本体部の下端縁近傍まで設けることが望ましいが、少なくとも本体部の中間部位まで設ければ足りる。
尚、この切込部は、上記した通り、これを形成せずに実施することも可能である。本発明に係るレインカバーはポンチョ型であり、先に幼児に着用させた状態で、自転車の前部子乗せシートに着席させて、幼児及び子乗せシートを共に被覆することができるからである。
【００７０】
また、本体部の前面部に設ける一対の挿通部の長さも適宜必要に応じて設計変更することが可能である。
これら一対の挿通部内に設けた伸縮自在の紐状部材の端部の係着部の形態も自由に選択することができ、これに対応するように本体部背面の収納部内の袋状カバー部に設けた係着受部も自由に選択することができる。
【００７１】
本体部の背面に設けた切欠部の大きさも自由に設定することができる。
本体部の前面部の切込部に設けたスライドファスナーの前面に雨水侵入防止用の被覆片を設けるのも自由であり、その内部側に雨水侵入防止手段を設けることもできる。
この切込部に設ける開閉手段もスライドファスナー以外の面ファスナー、掛止ボタン又は留めホック等の各種の手段を利用することが出来る。
【００７２】
本体部の前面両側に設けたハンドルグリップ挿通部である切込部の外側にも雨水侵入防止用の被覆片を設けることが極めて好ましい。
図２及び図３に示した１６ｃがこれを示している。
【００７３】
図４に図示した頭囲縮小手段の構成も適宜変更することが可能である。
上記実施形態では、帯状部材と面ファスナーによる構成であったが、この帯状部材の自由端部と相互に係着する係着手段も各種設計変更することができる。
【００７４】
以上、本発明においては、自転車の前部子乗せシートとこれに着席した幼児の全体を共に被覆することができ、不使用時にもカバーをそのまま装着したままとすることができ、雨水や塵埃が内部に侵入しない形態の前部子乗せシート用ポンチョ型レインカバーを提供することができたものである。
【符号の説明】
【００７５】
１０  レインカバー
１１  本体部
１２  頭部被覆部
１３  前面開口部
１４  鍔部
１５  切込部
１６  ハンドルグリップ挿通部
１７  周縁部（底部開口部の）
１８  挿通部
１８ｋ  係着部
１８ｒ  紐状部材
１８ｓ  ストッパー部材
２０  底部開口部
２１  紐状部材
２５  切欠部
２６  ストッパー部材
２７  収納部
２７ｆ  蓋部
３０  帯状部材
３１  面ファスナー
４０  袋状カバー部
４０ｋ  係着受部
４１  連結紐
【図１】
2019034607.tif 000003
【図２】
2019034607.tif 000004
【図３】
2019034607.tif 000005
【図４】
2019034607.tif 000006
【図５】
2019034607.tif 000007
【図６】
2019034607.tif 000008
【図７】
2019034607.tif 000009